(57)【要約】【課題】図書館等において、図書等の違法な複写を防止するのに要するコストの削減を図る。【解決手段】本発明の管理装置１０は、貸出物に係る情報を取得する取得部１１と、記憶部４０に格納された貸出物の貸し出し情報を参照し、取得部１１により取得された貸出物に係る情報に基づいて、この貸出物の貸し出し又は返却を管理する貸出物管理部１２と、記憶部４０に格納された貸出物の複写物の作成可否情報を参照し、取得部１１により取得された貸出物に係る情報に基づいて、この貸出物の複写物の作成を管理する複写管理部１３と、を具備して構成される。【選択図】      図１
2016045615.tif 000002
【特許請求の範囲】
【請求項１】
貸出物に係る情報を取得する取得手段と、
格納手段に格納された前記貸出物の貸し出し情報を参照し、前記取得手段により取得された前記貸出物に係る情報に基づいて、この貸出物の貸し出し又は返却を管理する貸出物管理手段と、
前記格納手段に格納された前記貸出物の複写物の作成可否情報を参照し、前記取得手段により取得された前記貸出物に係る情報に基づいて、この貸出物の複写物の作成を管理する複写管理手段と、を具備する、
ことを特徴とする管理装置。
【請求項２】
前記複写管理手段は、
前記格納手段に格納された作成可否情報を参照し、前記取得手段により取得された前記貸出物に係る情報に基づいて、前記貸出物の複写物の作成可否を判定する複写可否判定手段と、
前記複写可否判定手段により前記複写物の作成が可であると判定され、利用者が前記複写物の作成を行った場合、前記貸出物に係る情報、前記利用者の識別情報、及び前記複写物の作成を行った日時を出力する出力手段と、を具備する、
ことを特徴とする請求項１記載の管理装置。
【請求項３】
前記出力手段は、
前記複写可否判定手段により前記複写物の作成が不可であると判定された場合、前記複写物の作成を行った日時にかえて、利用者が前記複写物の作成を要求した日時を出力する、
ことを特徴とする請求項２記載の管理装置。
【請求項４】
前記貸出物管理手段は、
前記格納手段に格納された前記貸し出し情報を参照し、前記取得手段により取得された前記貸出物に係る情報に基づいて、前記貸出物の貸し出し可否を判定する貸出可否判定手段を具備し、
前記出力手段は、
前記貸出可否判定手段により前記貸出物の貸し出しが可であると判定された場合、前記貸出物に係る情報、前記利用者の識別情報、及び前記貸出物を貸し出した日時を出力する、
ことを特徴とする請求項２又は３記載の管理装置。
【請求項５】
前記貸出物管理手段は、
前記格納手段に格納された前記貸し出し情報を参照し、前記取得手段により取得された前記貸出物に係る情報に基づいて、前記貸出物の返却可否を判定する返却可否判定手段を具備し、
前記出力手段は、
前記貸出可否判定手段により前記貸出物の貸し出しが不可であると判定された場合、この貸出物の返却期日を出力する、
ことを特徴とする請求項２乃至４の何れか一項に記載の管理装置。
【請求項６】
請求項１乃至５の何れかに記載の管理装置を具備する、
ことを特徴とする管理システム。
【請求項７】
貸出物に係る情報を取得し、
格納された前記貸出物の貸し出し情報を参照し、取得した前記貸出物に係る情報に基づいて、前記貸出物の貸し出し又は返却を管理し、
格納された前記貸出物の複写物の作成可否情報を参照し、取得した前記貸出物に係る情報に基づいて、前記貸出物の複写物の作成を管理する、
ことを特徴とする管理方法。
【請求項８】
前記作成可否情報を参照し、取得した前記貸出物に係る情報に基づいて、前記貸出物の複写物の作成可否を判定し、
前記複写物の作成が可であると判定し、利用者が前記複写物の作成を行った場合、前記貸出物に係る情報、前記利用者の識別情報、及び前記複写物の作成を行った日時を出力する、
ことを特徴とする請求項７記載の管理方法。
【請求項９】
前記複写物の作成が不可であると判定した場合、前記複写物の作成を行った日時にかえて、利用者が前記複写物の作成を要求した日時を出力する、
ことを特徴とする請求項８記載の管理方法。
【請求項１０】
格納された前記貸し出し情報を参照し、取得した前記貸出物に係る情報に基づいて、前記貸出物の貸し出し可否を判定し、
前記貸出物の貸し出しが可であると判定した場合、前記貸出物に係る情報、前記利用者の識別情報、及び前記貸出物を貸し出した日時を出力する、
ことを特徴とする請求項８又は９記載の管理方法。
【発明の詳細な説明】
【技術分野】
【０００１】
本発明は、管理装置、管理システム及び管理方法に関し、特に、図書館等における図書等の違法な複写を防止することが可能な管理装置、管理システム及び管理方法に関する。
【背景技術】
【０００２】
図書、記録、その他の資料（以下、図書等という）を公衆の利用に供することを目的とする図書館、その他の施設（以下、図書館等という）においては、利用者の求めに応じ、図書等を貸し出すことが可能である。また、図書館等では、利用者が複写機を用いて複写物を作成したりすることが可能である。
【０００３】
ただし、利用者が図書等の複写物を作成する場合には、著作権法の規定により、一定の制限下での複写物の作成のみが認められている。このため、図書館等では、図書館等の職員が自ら複写物の作成を行ったり、利用者の複写物の作成を監視したりすることで、図書等の違法な複写物の作成を防止している。しかしながら、このように、図書館等の職員による複写物の作成を管理させるとすると、図書館等の職員にとっては、業務の負担になる。
【０００４】
そこで、図書館等の職員の業務の負担を軽減するために、例えば、特許文献１には、書籍管理システムおよび書籍管理方法が開示されている。この特許文献１記載の技術は、書籍に固着されたＩＣタグから書籍の書誌情報を読み出し、読み出した書誌情報に基づいて、書籍の複写の作成可否を判定している。
【０００５】
ここで、書誌情報とは、「単行本」「短編集」「博士論文」「地図」「写真集」「絵画集」「楽譜」「研究成果報告書」等を識別する情報が想定される。そして、これら図書等は、複写の制限が異なる。例えば、「単行本」であれば、本文のおよそ半分まで複写が可能である。また、「研究成果報告書」のような定期刊行物であれば、「研究成果報告書」が個々の著作物である場合、全部の複写が可能である。
【０００６】
このように、上記特許文献１記載の技術は、ＩＣタグから読み出した書誌情報に基づいて、例えば、「単行本」であれば、本文のおよそ半分まで複写が可である旨を判定している。
【０００７】
これにより、特許文献１記載の技術は、図書等の違法な複写物の作成を防止する場合における図書館等の職員の業務の負担を軽減している。なお、「ＩＣ」とは、「Ｉｎｔｅｇｒａｔｅｄ  Ｃｉｒｃｕｉｔ」の略である。
【先行技術文献】
【特許文献】
【０００８】
【特許文献１】特開２００９−２７７１０７号公報（段落００３２参照）
【発明の概要】
【発明が解決しようとする課題】
【０００９】
ところで、上記特許文献１記載の技術は、ＩＣタグリーダ／ライタ端末１０及び複写機２０を具備している。そして、これらＩＣタグリーダ／ライタ端末１０と複写機２０との夫々は、ＣＰＵ、ＲＯＭ、ＲＡＭ等の制御手段を具備している。
【００１０】
なお、「ＣＰＵ」とは、「Ｃｅｎｔｒａｌ  Ｐｒｏｃｅｓｓｉｎｇ  Ｕｎｉｔ」の略である。また、「ＲＯＭ」とは、「Ｒｅａｄ  Ｏｎｌｙ  Ｍｅｍｏｒｙ」の略である。また、「ＲＡＭ」とは、「Ｒａｎｄｏｍ  Ａｃｃｅｓｓ  Ｍｅｍｏｒｙ」の略である。
【００１１】
したがって、上記特許文献１記載の技術は、図書館等において、図書等の違法な複写を防止することが可能であるが、ＩＣタグリーダ／ライタ端末１０及び複写機２０の夫々に、制御手段を要するため、コストを増大させてしまうという技術的課題がある。
【００１２】
そこで、本発明の目的は、図書館等において、図書等の違法な複写を防止するのに要するコストの削減を図ることが可能な管理装置、管理システム及び管理方法を提供することにある。
【課題を解決するための手段】
【００１３】
上記目的を達成するために、本発明の管理装置は、貸出物に係る情報を取得する取得手段と、格納手段に格納された上記貸出物の貸し出し情報を参照し、上記取得手段により取得された上記貸出物に係る情報に基づいて、この貸出物の貸し出し又は返却を管理する貸出物管理手段と、上記格納手段に格納された上記貸出物の複写物の作成可否情報を参照し、上記取得手段により取得された上記貸出物に係る情報に基づいて、この貸出物の複写物の作成を管理する複写管理手段と、を具備して構成される。
【００１４】
上記目的を達成するために、本発明の管理システムは、上記管理装置を具備して構成される。
【００１５】
上記目的を達成するために、本発明の管理方法は、貸出物に係る情報を取得し、格納された上記貸出物の貸し出し情報を参照し、取得した上記貸出物に係る情報に基づいて、上記貸出物の貸し出し又は返却を管理し、格納された上記貸出物の複写物の作成可否情報を参照し、取得した上記貸出物に係る情報に基づいて、上記貸出物の複写物の作成を管理している。
【発明の効果】
【００１６】
本発明によれば、図書館等において、図書等の違法な複写を防止するのに要するコストの削減を図ることができる。
【図面の簡単な説明】
【００１７】
【図１】本発明の一実施形態（第１の実施形態）に係る管理装置の構成を示す構成図である。
【図２】本発明の一実施形態（第１の実施形態）に係る管理システムのシステム構成を示すシステム構成図である。
【図３】本発明の一実施形態（第１の実施形態）に係る管理装置に実行させる処理を示すフローチャートである。
【図４】本発明の他の実施形態（第２の実施形態）に係る管理装置の外部構成、及びこの管理装置を具備する管理システムの外部構成を概略的に示す概略構成図である。
【図５】本発明の他の実施形態（第２の実施形態）に係る管理装置の内部構成、及びこの管理装置を具備する管理システムの内部構成を示すブロック図である。
【図６】本発明の他の実施形態（第２の実施形態）に係る管理装置における電源投入処理を示すフローチャートである。
【図７】本発明の他の実施形態（第２の実施形態）に係る管理装置における割込処理を示すフローチャートである。
【図８】本発明の他の実施形態（第２の実施形態）に係る管理装置における貸出処理を示すフローチャートである。
【図９】本発明の他の実施形態（第２の実施形態）に係る管理装置における返却処理を示すフローチャートである。
【図１０】本発明の他の実施形態（第２の実施形態）に係る管理装置における複写処理を示すフローチャートである。
【図１１】本発明の他の実施形態（第２の実施形態）に係る管理装置における一部分複写処理を示すフローチャートである。
【発明を実施するための形態】
【００１８】
以下、図面を用いて、本発明の実施形態について説明する。
【００１９】
（第１の実施形態）
図１乃至図３を用いて、本発明の一実施形態（第１の実施形態）について説明する。まず、図１を用いて、本実施形態の管理装置１０の構成について説明する。図１は、本実施形態（第１の実施形態）に係る管理装置１０の構成を示す構成図である。
【００２０】
図１に例示されるように、管理装置１０は、取得部（取得手段）１１、貸出物管理部（貸出物管理手段）１２及び複写管理部（複写管理手段）１３を具備している。
【００２１】
この取得部１１は、貸出物に係る情報を取得する処理を行う。ここで、貸出物に係る情報とは、この貸出物を一意に識別する識別情報、貸出物の名称、貸出物の著者名等をいう。
【００２２】
貸出物管理部１２は、記憶部（格納手段）４０に格納された貸出物の貸し出し情報を参照し、取得部１１により取得された貸出物に係る情報に基づいて、この貸出物の貸し出し又は返却を管理する処理を行う。
【００２３】
具体的には、この貸出物管理部１２は、貸し出し情報を参照し、取得部１１により取得された貸出物に係る情報が、貸し出し可能であるか否かを判定する。そして、貸出物管理部１２は、取得部１１により取得された貸出物に係る情報が、貸し出し可能であると判定した場合には、利用者に貸出物を貸し出す処理を行う。
【００２４】
また、この貸出物管理部１２は、利用者から貸出物の返却が行われた場合にも、貸し出し情報を参照し、取得部１１により取得された貸出物に係る情報が、返却可能であるか否かを判定する。そして、貸出物管理部１２は、取得部１１により取得された貸出物に係る情報が、返却可能であると判定した場合には、返却処理を行う。
【００２５】
複写管理部１３は、記憶部４０に格納された貸出物の複写物の作成可否情報を参照し、取得部１１により取得された貸出物に係る情報に基づいて、この貸出物の複写物の作成を管理する処理を行う。
【００２６】
具体的には、この複写管理部１３は、作成可否情報を参照し、取得部１１により取得された貸出物に係る情報が、この貸出物の複写物の作成の可否を判定する。そして、複写管理部１３は、貸出物の複写物の作成が可である場合には、利用者に貸出物の複写物の作成を許可する処理を行う。
【００２７】
このように、本実施形態では、貸出物管理部１２と複写管理部１３とを互いに独立させず、管理装置１０にて貸出物管理部１２による貸し出し又は返却管理と複写管理部１３による複写管理とを可能にしている。
【００２８】
よって、本実施形態によれば、図書館等において、図書等の違法な複写を防止する場合におけるコストの削減を図ることができる。
【００２９】
（管理システム）
次に、図２を用いて、本実施形態の管理システムの構成について説明する。図２は、本実施形態（第１の実施形態）に係る管理システムのシステム構成を示すシステム構成図である。
【００３０】
図２に例示されるように、本実施形態の管理システムは、管理装置１０を具備している。この管理装置１０については、上述したため、その説明を省略する。このように、本実施形態によれば、貸出物管理部１２と複写管理部１３とを互いに独立させず、管理装置１０にて貸出物管理部１２による貸し出し又は返却管理と複写管理部１３による複写管理とを可能にしている。よって、本実施形態によれば、図書館等において、図書等の違法な複写を防止する場合におけるコストの削減を図ることができる。
【００３１】
また、本実施形態の管理システムは、管理装置１０の外部に、記憶部（記憶手段）４０を具備している。この記憶部４０は、貸出物に関する貸出情報、貸出履歴、複写情報、複写履歴を格納している。
【００３２】
このように、本実施形態の管理システムは、管理装置１０の内部でははく、外部に記憶部４０を具備しているため、管理装置１０を起動させることなく、記憶部４０の更新を行うことが可能になる。
【００３３】
（管理方法）
次に、図３を用いて、本実施形態の管理システムに実行させる処理について説明する。図３は、本実施形態（第１の実施形態）に係る管理装置１０に実行させる処理を示すフローチャートである。
【００３４】
ステップＳ１において、管理装置１０は、取得処理を行う。この処理において、管理装置１０は、取得部１１にて貸出物に係る情報を取得する処理を行う。
【００３５】
ステップＳ２において、管理装置１０は、貸出物管理処理を行う。この処理において、管理装置１０は、記憶部４０に格納された貸出物の貸し出し情報を参照し、取得部１１にて取得した貸出物に係る情報に基づいて、貸出物管理部１２にて貸出物の貸し出し又は返却を管理する処理を行う。
【００３６】
ステップＳ３において、管理装置１０は、複写管理処理を行う。この処理において、管理装置１０は、記憶部４０に格納された貸出物の複写物の作成可否情報を参照し、取得部１１にて取得した貸出物に係る情報に基づいて、複写管理部１３にて貸出物の複写物の作成を管理する処理を行う。
【００３７】
このように、本実施形態によれば、貸出物管理部１２と複写管理部１３とを互いに独立させず、管理装置１０にて貸出物管理部１２による貸し出し又は返却管理と複写管理部１３による複写管理とを可能にしている。
【００３８】
よって、本実施形態によれば、図書館等において、図書等の違法な複写を防止する場合におけるコストの削減を図ることができる。
【００３９】
（第２の実施形態）
図４乃至図１１を用いて、本発明の他の実施形態（第２の実施形態）について説明する。まず、図４及び図５を用いて、本実施形態に係る複合機本体（管理装置）１００の構成、及びこの複合機本体１００を具備する管理システムのシステム構成について説明する。
【００４０】
図４は、本実施形態（第２の実施形態）に係る複合機本体１００の外部構成、及びこの複合機本体１００を具備する管理システムの外部構成を概略的に示す概略構成図である。図５は、本実施形態（第２の実施形態）に係る複合機本体１００の内部構成、及びこの複合機本体１００を具備する管理システムの内部構成を示すブロック図である。
【００４１】
本実施形態の複合機本体１００は、コピー、プリント、スキャナ機能を搭載している。これら、コピー、プリント、スキャナ機能については、周知の技術であるため、その説明を省略する。
【００４２】
本実施形態の複合機本体１００の主たる特徴点は、これらコピー、プリンタ、スキャナ機能を利用して、図書管理機能及び複写管理機能を搭載した点にある。以下、図書管理機能及び複写管理機能を実現するための構成について説明する。
【００４３】
図４及び図５に例示されるように、本実施形態の複合機本体１００は、操作パネル１１０、音声出力部１２０、ＲＦＩＤリーダライタ（取得部）１３０及び制御基板（貸出物管理手段及び複写管理手段）１５０を具備している。
【００４４】
この操作パネル１１０は、複合機本体１００の外面に位置している。そして、操作パネル１１０は、表示部１１１及び操作部１１２を備え、表示部１１１にて複合機本体１００の状態を表示している。また、操作部１１２にて利用者による複合機本体１００の操作を可能にしている。
【００４５】
音声出力部１２０は、複合機本体１００の内部に搭載され、例えば、操作案内を音声等で通知する役目を果たしている。
【００４６】
本実施形態において、ＲＦＩＤリーダライタ１３０は、図書（貸出物）２００のＩＣタグ２１０から図書２００に係る情報を取得する役目を果たしている。また、ＲＦＩＤリーダライタ１３０は、利用者の図書貸出ＩＣカード３００から利用者の識別情報を取得する役目を果たしている。
【００４７】
具体的には、ＲＦＩＤリーダライタ１３０は、複合機本体１００に装着されている。そして、ＲＦＩＤリーダライタ１３０は、図書２００のＩＣタグ２１０、利用者の図書貸出ＩＣカード３００等のカード認証を行う。これにより、ＲＦＩＤリーダライタ１３０は、図書２００のＩＣタグ２１０、利用者の図書貸出ＩＣカード３００に格納されている情報を読み取ることが可能になる。
【００４８】
制御基板１５０は、ＣＰＵ（制御部）１５１、ＲＯＭ（記憶部）１５２及びＲＡＭ（記憶部）１５３を具備している。このＣＰＵ１５１は、ＲＦＩＤリーダライタ１３０により取得された図書２００に係る情報に基づいて、図書２００の貸し出し又は返却を管理する処理を行う。また、ＣＰＵ１５１は、ＲＦＩＤリーダライタ１３０により取得された図書２００に係る情報に基づいて、図書２００の複写物の作成を管理する処理を行う。
【００４９】
ＲＯＭ１５２は、各種制御プログラム、各種データ等を格納している。これにより、ＣＰＵ１５１は、ＲＯＭ１５２から各種プログラム、各種データ等を読み込む処理を行い、各種制御プログラムに従って、動作することが可能になる。
【００５０】
ＲＡＭ１５３は、コピー、プリント、スキャナ機能を用いた際に、これらの情報を格納している。また、ＲＡＭ１５３は、ＲＦＩＤリーダライタ１３０により読み取った図書２００のＩＣタグ２１０に格納されている図書情報、利用者の図書貸出ＩＣカード３００に格納されている利用者の情報を格納している。
【００５１】
ここで、図書２００のＩＣタグ２１０には、図書情報として、図書２００を一意に識別するＩＤ、書名、著者名が格納されている。また、利用者の図書貸出ＩＣカード３００には、この利用者を一意に識別するＩＤが格納されている。
【００５２】
そして、ＣＰＵ１５１は、図書２００のＩＣタグ２１０と利用者の図書貸出ＩＣカード３００に格納されている情報に基づいて、図書情報管理データベース４００から図書２００の貸出情報、貸出履歴、複写情報、複写履歴を検索することが可能である。
【００５３】
これにより、ＣＰＵ１５１では、図書２００を貸し出し又は返却処理を可能にしている。また、ＣＰＵ１５１では、検索した図書２００の複写情報に基づいて、図書２００の複写物の作成可否を判定することで、複写管理を可能にしている。
【００５４】
このように、本実施形態では、ＣＰＵ１５１にて貸出物管理機能及び複写管理機能を実現している。すなわち、本実施形態では、複合機本体１００にて貸し出し又は返却管理と複写管理とを可能にしている。
【００５５】
また、本実施形態では、上述の貸出物管理機能及び複写管理機能を実現するにあたり、複合機本体１００に搭載されているＲＦＩＤリーダライタ１３０を用いて、図書２００の図書情報等を取得している。
【００５６】
したがって、本実施形態では、ＣＰＵ１５１等の制御手段、ＲＦＩＤリーダライタ１３０である取得手段を共有することで、部品点数を減らすことが可能になり、コストの削減を図ることが可能であるといえる。
【００５７】
よって、本実施形態によれば、図書館等において、図書等の違法な複写を防止することを可能にする際に、コストの削減を図ることができる。
【００５８】
（管理システム）
図４及び図５に例示されるように、本実施形態の管理システムは、複合機本体１００と、図書情報管理データベース４００と、パソコン５００と、を具備している。なお、複合機本体１００については、上述したため、ここでは、その説明を省略する。
【００５９】
図書情報管理データベース４００は、ＩＣタグ２１０に格納されている図書情報である、図書２００を一意に識別するＩＤ、書名、著者名を格納している。また、図書情報管理データベース４００には、複数の図書２００に関する図書情報をリスト化して格納している。そして、ＣＰＵ１５１は、図書情報管理データベース４００から、リスト化した図書情報を検索可能である。
【００６０】
なお、本実施形態では、ＣＰＵ１５１により図書情報管理データベース４００を検索しているが、これに限定されず、図書情報管理データベース４００自体に検索機能を持たせ、図書情報管理データベース４００自体で検索し、ＣＰＵ１５１に転送しても良い。図書２００と図書２００に装着されている図書のＩＣタグ２１０に格納されている情報で、一意に識別するＩＤ、書名、著者名に基づいて、その図書２００に関しての貸出情報、貸出履歴、複写情報、複写履歴を検索することができる。
【００６１】
パソコン５００は、ネットワークにより接続されている。図書情報管理データベース４００の検索、編集の作業を実施することができる。例えば、図書２００の複写の可否を更新したりすることが可能である。
【００６２】
このように、本実施形態では、複合機本体１００のＲＡＭ１５１に貸出情報、貸出履歴、複写情報、複写履歴を格納することが可能であるが、この他に図書情報管理データベース４００に格納することも可能である。
【００６３】
これにより、本実施形態では、図書情報管理データベース４００に貸出情報等を格納することで、貸出情報等を更新する際に、複合機本体１００を起動せず、パソコン５００を用いて更新することが可能になる。
【００６４】
（電源投入処理）
次に、図６乃至図１１を用いて、本実施形態の複合機本体１００に実行させる処理について説明する。まず、図６を用いて、電源投入処理について説明する。図６は、本実施形態（第２の実施形態）に係る複合機本体１００における電源投入処理を示すフローチャートである。
【００６５】
ステップＳ１０において、複合機本体１００は、制御ボード起動処理を行う。具体的には、この処理において、複合機本体１００は、電源が投入されると、制御基板１５０に搭載されているＣＰＵ１５１を起動する。したがって、以下の処理は、ＣＰＵ１５１により実行される。
【００６６】
ステップＳ２０において、ＣＰＵ１５１は、設定テーブル読み込み処理を行う。この処理において、ＣＰＵ１５１は、ＲＯＭ１５２に格納された各種制御プログラム、各種データ等を読み込む処理を行う。これにより、ＣＰＵ１５１は、各種制御プログラムに従って、動作することが可能になる。
【００６７】
ステップＳ３０において、ＣＰＵ１５１は、割込処理を行う。本実施形態において、この割込処理は、利用者が操作パネル１１０を用いて「貸出」「返却」「複写」の何れかを選択した際に実行する処理である。なお、この割込処理については、図７を用いて後述する。
【００６８】
（割込処理）
次に、図７を用いて、割込処理について説明する。図７は、本実施形態（第２の実施形態）に係る複合機本体１００における割込処理を示すフローチャートである。この割込処理は、図６に示すステップＳ３０のサブルーチンである。
【００６９】
ステップＳ３１において、ＣＰＵ１５１は、利用者が操作パネル１１０を用いて「貸出」操作したか否かを判定する。この処理において、ＣＰＵ１５１は、利用者が操作パネル１１０を用いて「貸出」操作したと判定した場合には、ステップＳ１００に処理を移す。一方、この処理において、ＣＰＵ１５１は、利用者が操作パネル１１０を用いて「貸出」操作していないと判定した場合には、ステップＳ１３１に処理を移す。
【００７０】
ステップＳ１００において、ＣＰＵ１５１は、貸出処理を行う。この処理において、ＣＰＵ１５１は、利用者が操作パネル１１０を用いて「貸出」を選択した場合において、図書２００の貸し出しに関する処理を行う。なお、この貸出処理については、図８を用いて後述する。
【００７１】
ステップＳ１３１において、ＣＰＵ１５１は、利用者が操作パネル１１０を用いて「返却」操作したか否かを判定する。この処理において、ＣＰＵ１５１は、利用者が操作パネル１１０を用いて「返却」操作したと判定した場合には、ステップＳ２００に処理を移す。一方、この処理において、ＣＰＵ１５１は、利用者が操作パネル１１０を用いて「返却」操作していないと判定した場合には、ステップＳ２３１に処理を移す。
【００７２】
ステップＳ２００において、ＣＰＵ１５１は、返却処理を行う。この処理において、ＣＰＵ１５１は、利用者が操作パネル１１０を用いて「返却」を選択した場合において、図書２００の返却に関する処理を行う。なお、この返却処理については、図９を用いて後述する。
【００７３】
ステップＳ２３１において、ＣＰＵ１５１は、利用者が操作パネル１１０を用いて「複写」操作したか否かを判定する。この処理において、ＣＰＵ１５１は、利用者が操作パネル１１０を用いて「複写」操作したと判定した場合には、ステップＳ３００に処理を移す。一方、この処理において、ＣＰＵ１５１は、利用者が操作パネル１１０を用いて「複写」操作していないと判定した場合には、今回の割込処理を終了する。
【００７４】
ステップＳ３００において、ＣＰＵ１５１は、複写処理を行う。この処理において、ＣＰＵ１５１は、利用者が操作パネル１１０を用いて「複写」を選択した場合において、図書２００の複写に関する処理を行う。なお、この複写処理については、図１０を用いて後述する。
【００７５】
（貸出処理）
次に、図８を用いて、貸出処理について説明する。図８は、本実施形態（第２の実施形態）に係る複合機本体１００における貸出処理を示すフローチャートである。この貸出処理は、図７に示すステップＳ１００のサブルーチンである。
【００７６】
ステップＳ１１０において、ＣＰＵ１５１は、「貸出」受信処理を行う。具体的には、この処理において、ＣＰＵ１５１は、利用者が操作パネル１１０を用いて「貸出」を操作すると、その旨を受信している。
【００７７】
ステップＳ１２０において、ＣＰＵ１５１は、ＩＣタグ読み取り処理を行う。具体的には、この処理において、まず、ＣＰＵ１５１は、操作パネル１１０に指示内容を表示する処理を行う。ここで、指示内容とは、ＲＦＩＤリーダライタ１３０に図書２００のＩＣタグ２１０を読み取らせるよう指示する内容である。そして、利用者がＲＦＩＤリーダライタ１３０にＩＣタグ２１０を当てた場合、ＣＰＵ１５１は、ＲＦＩＤリーダライタ１３０にてＩＣタグ２１０を読み取らせる処理を行う。ＣＰＵ１５１は、ＩＣタグ２１０に格納されている情報に基づいて、図書２００を一意に識別するＩＤ、書名、著者名を読み取る処理を行う。
【００７８】
ステップＳ１３０において、ＣＰＵ１５１は、図書情報管理データベース４００にアクセスする処理を行う。この処理において、ＣＰＵ１５１は、上記ステップＳ１２０にて読み出した図書２００の一意に識別するＩＤ、書名、著者名に基づいて、アクセス先である図書情報管理データベース４００から図書２００の貸出情報を検索する。
【００７９】
なお、本実施形態では、ＣＰＵ１５１が図書情報管理データベース４００から貸出情報を検索しているが、これに限定されず、ＣＰＵ１５１では、図書情報管理データベース４００に図書２００のＩＤ等を転送するのみでも良い。この場合、図書情報管理データベース４００に、検索機能を持たせ、図書情報管理データベース４００にて貸出情報を検索し、ＣＰＵ１５１に検索結果を転送すると良い。
【００８０】
ここで、貸出情報とは、図書２００の貸し出しが可能であるか否かを識別する情報である。具体的には、図書２００には、図書館等の施設内で閲覧するのみで、図書館等の施設から持ち出すことが不可なものがある。したがって、後述するステップＳ１４０において、この貸出情報に基づいて、図書２００の貸出可否を判定しているが、図書２００が図書館等の施設内から持ち出すことが不可な場合には、貸出不可であると判定する。
【００８１】
ステップＳ１４０において、ＣＰＵ１５１は、検索した図書２００に対し、この図書２００の貸出情報に基づいて、貸出可否を判定する。この処理において、ＣＰＵ１５１は、検索した図書２００に対し貸出可であると判定した場合には、ステップＳ１５０に処理を移す。このとき、ＣＰＵ１５１は、操作パネル１１０に図書２００の貸出が可である内容を表示する処理を行う。この処理において、ＣＰＵ１５１は、操作パネル１１０に、図書２００を一意に識別するＩＤ、書名、著者名、貸出期日を表示する処理を行う。
【００８２】
一方、この処理において、ＣＰＵ１５１は、検索した図書２００に対し貸出不可であると判定した場合には、今回の貸出処理を終了する。この場合、ＣＰＵ１５１は、操作パネル１１０に図書２００の貸出が不可である内容を表示する処理を行う。そして、ＣＰＵ１５１は、操作パネル１１０に「複写」、「貸出」、「返却」を表示する処理を行う。
【００８３】
ステップＳ１５０において、ＣＰＵ１５１は、ＩＣカード読み取り処理を行う。この処理において、ＣＰＵ１５１は、操作パネル１１０に指示内容を表示する処理を行う。ここで、指示内容とは、ＲＦＩＤリーダライタ１３０に利用者の図書貸出ＩＣカード３００を読み取らせるよう指示する内容である。そして、利用者がＲＦＩＤリーダライタ１３０に図書貸出ＩＣカード３００を当てた場合、ＲＦＩＤリーダライタ１３０にて図書貸出ＩＣカード３００を読み取る処理を行う。このとき、ＣＰＵ１５１には、ＲＦＩＤリーダライタ１３０にて読み取った情報が転送される。これにより、ＣＰＵ１５１は、図書貸出ＩＣカード３００に格納されている情報に基づいて、利用者を一意に識別するＩＤを読み取る処理を行う。
【００８４】
ステップＳ１６０において、ＣＰＵ１５１は、貸出実行処理を行う。この処理において、ＣＰＵ１５１は、操作パネル１１０の表示部１１１に図書２００の図書情報を表示する処理を行う。ここで、図書情報とは、上述したように、図書２００を一意に識別するＩＤ、書名、著者名、貸出期日をいう。
【００８５】
そして、表示部１１１に図書情報が表示されると、利用者が、操作パネル１１０に表示されている図書２００を一意に識別するＩＤ、書名、著者名、貸出期日を確認する。そして、利用者が、図書情報を確認した後に、操作部１１２を用いて、貸し出し操作を行うことで、ＣＰＵ１５１は、貸出実行処理を行う。
【００８６】
ステップＳ１７０において、ＣＰＵ１５１は、貸出完了処理を行う。この処理において、ＣＰＵ１５１は、操作パネル１１０に図書２００の貸し出しが完了した旨を表示する処理を行う。
【００８７】
このとき、ＣＰＵ１５１は、操作パネル１１０に、図書２００を一意に識別するＩＤ、書名、著者名、貸出期日、利用者を一意に識別する情報が表示される。また、ＣＰＵ１５１は、必要に応じて、利用者は、操作パネル１１０を操作し、操作パネル１１０に表示されている画面を印刷することが出来る。
【００８８】
（返却処理）
次に、図９を用いて、返却処理について説明する。図９は、本実施形態（第２の実施形態）に係る複合機本体１００における返却処理を示すフローチャートである。この返却処理は、図７に示すステップＳ２００のサブルーチンである。
【００８９】
ステップＳ２１０において、ＣＰＵ１５１は、「返却」受信処理を行う。具体的には、この処理において、ＣＰＵ１５１は、利用者が操作パネル１１０を用いて「返却」を操作すると、その旨を受信している。
【００９０】
ステップＳ２２０において、ＣＰＵ１５１は、ＩＣタグ読み取り処理を行う。具体的には、この処理において、まず、ＣＰＵ１５１は、操作パネル１１０に指示内容を表示する処理を行う。ここで、表示内容とは、ＲＦＩＤリーダライタ１３０に図書２００のＩＣタグ２１０を読み取らせるよう指示する内容である。そして、利用者がＲＦＩＤリーダライタ１３０にＩＣタグ２１０を当てた場合、ＲＦＩＤリーダライタ１３０にてＩＣタグ２１０を読み取らせる処理を行う。このとき、ＣＰＵ１５１は、ＩＣタグ２１０に格納されている情報に基づいて、図書２００を一意に識別するＩＤ、書名、著者名を読み取る処理を行う。
【００９１】
ステップＳ２３０において、ＣＰＵ１５１は、図書情報管理データベース４００にアクセスする処理を行う。この処理において、ＣＰＵ１５１は、上記ステップＳ２２０にて読み出した一意に識別するＩＤ、書名、著者名に基づいて、アクセス先である図書情報管理データベース４００から、図書２００の貸出履歴を検索する。
【００９２】
なお、本実施形態では、ＣＰＵ１５１が図書情報管理データベース４００から貸出履歴を検索しているが、これに限定されず、ＣＰＵ１５１では、図書情報管理データベース４００に図書２００の識別ＩＤ等を転送するのみでも良い。この場合、図書情報管理データベース４００に、検索機能を持たせ、図書情報管理データベース４００にて貸出履歴を検索し、ＣＰＵ１５１に検索結果を転送すると良い。
【００９３】
ここで、貸出履歴とは、図書２００が現在、貸し出し中であるか、また、貸し出し中である場合には、返却期日を示す情報である。したがって、後述するステップＳ２４０において、ＣＰＵ１５１は、貸出履歴に基づいて、図書２００が貸し出し中であるか否かを判定する。また、後述するステップＳ２６０において、ＣＰＵ１５１は、貸出履歴に基づいて、返却期日を表示する処理を行う。利用者は、表示された返却期日を確認すると、操作パネル１１０を操作し、返却処理を行うか否かを判断することが可能になる。
【００９４】
ステップＳ２４０において、ＣＰＵ１５１は、検索した図書２００の貸出履歴に基づいて、この図書２００が貸出中であるか否かを判定する。この処理において、ＣＰＵ１５１は、検索した図書２００が、貸出中であると判定した場合には、ステップＳ２５０に処理を移す。一方、この処理において、ＣＰＵ１５１は、検索した図書２００が、貸出中でないと判定した場合には、ステップＳ２８０に処理を移す。
【００９５】
ステップＳ２５０において、ＣＰＵ１５１は、ＩＣカード読み取り処理を行う。この処理において、ＣＰＵ１５１は、操作パネル１１０に指示内容を表示する処理を行う。ここで、指示内容とは、ＲＦＩＤリーダライタ１３０に利用者の図書貸出ＩＣカード３００を読み取らせるよう指示する内容である。そして、利用者がＲＦＩＤリーダライタ１３０に図書貸出ＩＣカード３００を当てた場合、ＲＦＩＤリーダライタ１３０にて図書貸出ＩＣカード３００を読み取る処理を行う。このとき、ＣＰＵ１５１には、ＲＦＩＤリーダライタ１３０にて読み取った情報が転送される。これにより、ＣＰＵ１５１は、図書貸出ＩＣカード３００に格納されている情報に基づいて、利用者を一意に識別するＩＤを読み取る処理を行う。
【００９６】
ステップＳ２６０において、ＣＰＵ１５１は、操作パネル１１０に図書２００の返却が可である内容を表示する処理を行う。この処理において、ＣＰＵ１５１は、操作パネル１１０に、図書２００を一意に識別するＩＤ、書名、著者名、返却期日を表示する処理を行う。そして、利用者は、操作パネル１１０に表示されている図書２００を一意に識別するＩＤ、書名、著者名、返却期日を確認した後に、操作パネル１１０を操作し、図書２００の返却処理を完了させる。
【００９７】
ステップＳ２７０において、ＣＰＵ１５１は、返却完了処理を行う。この処理において、ＣＰＵ１５１は、操作パネル１１０に返却が完了した旨を表示する。
【００９８】
ステップＳ２８０において、ＣＰＵ１５１は、操作パネル１１０にエラーである旨を表示する処理を行う。そして、ＣＰＵ１５１は、今回の返却処理を終了する。この場合、ＣＰＵ１５１は、操作パネル１１０に「複写」、「貸出」、「返却」を表示する処理を行う。
【００９９】
（複写処理）
次に、図１０を用いて、複写処理について説明する。図１０は、本実施形態（第２の実施形態）に係る複合機本体１００における複写処理を示すフローチャートである。なお、図１０は、図７に示すステップＳ３００のサブルーチンである。
【０１００】
ステップＳ３０１において、ＣＰＵ１５１は、「複写」受信処理を行う。この処理において、ＣＰＵ１５１は、利用者が操作パネル１１０を用いて「複写」を操作すると、その旨を受信している。
【０１０１】
ステップＳ３０２において、ＣＰＵ１５１は、ＩＣタグ読み取り処理を行う。この処理において、まず、ＣＰＵ１５１は、操作パネル１１０に図書２００のＩＣタグ２１０の読み取りに係る指示内容を表示する処理を行う。ここで、指示内容とは、図書２００のＩＣタグ２１０をＲＦＩＤリーダライタ１３０に読み取らせるよう指示する内容である。
【０１０２】
そして、利用者が、図書２００のＩＣタグ２１０をＲＦＩＤリーダライタ１３０に読み取らせると、ＣＰＵ１５１は、ＩＣタグ２１０に格納されている情報に基づいて、一意に識別するＩＤと、書名と、著者名を読み取る処理を行う。
【０１０３】
ステップＳ３０３において、ＣＰＵ１５１は、図書情報管理データベース４００にアクセスする処理を行う。ＣＰＵ１５１は、上記ステップＳ３０２にて読み出した一意に識別するＩＤ、書名、著者名に基づいて、アクセス先である図書情報管理データベース４００から、図書２００の複写情報、複写履歴を検索する。なお、本実施形態では、ＣＰＵ１５１が図書情報管理データベース４００から複写情報、複写履歴を検索しているが、これに限定されず、ＣＰＵ１５１では、図書情報管理データベース４００に図書２００の識別ＩＤ等を転送するのみでも良い。この場合、図書情報管理データベース４００に、検索機能を持たせ、図書情報管理データベース４００にて複写情報、複写履歴を検索し、ＣＰＵ１５１に検索結果を転送すると良い。
【０１０４】
ここで、複写情報とは、「単行本」「短編集」「博士論文」「地図」「写真集」「絵画集」「楽譜」「研究成果報告書」等を識別する情報である。そして、これら図書等は、複写の制限が異なる。例えば、「単行本」であれば、本文のおよそ半分まで複写が可である。また、「研究成果報告書」のような定期刊行物であれば、「研究成果報告書」が個々の著作物である場合、全部の複写が可能である。すなわち、後述するステップＳ３０４において、読み出した複写情報に基づいて、例えば、「研究成果報告書」等に掲載された個々の著作物にあっては、全頁の複写が可である旨を判定している。また、複写情報は、図書等毎に複写可能な頁数を定めている。
【０１０５】
また、複写履歴とは、過去に複写された履歴を示す情報である。このとき、複写情報には、だれが複写したのかを付加しておくと良い。そして、後述するステップＳ３１１において、図書貸出ＩＣカード３００を読み込んだ際に、利用者が過去に複写している場合には、複写不可であると判定している。すなわち、本実施形態では、利用者に対し、図書２００の部数制限（例えば、一部）をかけることが可能になる。
【０１０６】
ステップＳ３０４において、ＣＰＵ１５１は、検索した図書２００の複写情報に対し、全部分複写の可否を判定する。この処理において、ＣＰＵ１５１は、例えば、複写情報が「研究成果報告書」である場合には、全部分複写可であると判定する。また、ＣＰＵ１５１は、例えば、複写情報が「単行本」である場合には、全部分複写可ではないと判定する。
【０１０７】
この処理において、ＣＰＵ１５１は、全部分複写可であると判定した場合には、ステップＳ３１１に処理を移す。一方、この処理において、ＣＰＵ１５１は、全部分複写可ではない、すなわち、一部分複写可又は複写不可であると判定した場合には、ステップＳ３０５に処理を移す。
【０１０８】
なお、この処理において、一部分複写可又は複写不可であると判定した場合としているが、現時点では、上述した図書等では、複写不可であると判定される場合はない。ただし、今後、著作物に対する保護は、厚くなる可能性が高く、複写不可であるものも発生し得るため、処理として可能にしておく必要がある。
【０１０９】
ステップＳ３０５において、ＣＰＵ１５１は、一部分複写可であるか否かを判定する。この処理において、ＣＰＵ１５１は、一部分複写可であると判定した場合には、ステップＳ３２０に処理を移す。一方、この処理において、ＣＰＵ１５１は、一部分複写可ではない、すなわち、複写不可であると判定した場合には、今回の複写処理を終了する。この場合、ＣＰＵ１５１は、操作パネル１１０に複写不可である旨を表示する。
【０１１０】
ステップＳ３１１において、ＣＰＵ１５１は、ＩＣカード読み取り処理を行う。この処理において、まず、ＣＰＵ１５１は、操作パネル１１０に指示内容を表示する処理を行う。ここで、指示内容とは、ＲＦＩＤリーダライタ１３０に利用者の図書貸出ＩＣカード３００を読み取らせるよう指示する内容である。そして、利用者が、ＲＦＩＤリーダライタ１３０に図書貸出ＩＣカード３００を当てた場合、ＲＦＩＤリーダライタ１３０にて図書貸出ＩＣカード３００を読み取る。このとき、ＣＰＵ１５１には、ＲＦＩＤリーダライタ１３０にて読み取った情報が転送される。これによりＣＰＵ１５１は、図書貸出ＩＣカード３００に格納されている情報に基づいて、利用者を一意に識別するＩＤを読み取る処理を行う。
【０１１１】
ステップＳ３１２において、ＣＰＵ１５１は、全部分複写処理を行う。この処理において、ＣＰＵ１５１は、図書２００を読み込み、データ化する処理を行う。具体的には、この処理において、ＣＰＵ１５１は、図示しないスキャナを作動させ、このスキャナに図書２００を読み込ませる処理を行う。また、ＣＰＵ１５１は、読み込ませた情報をデータ化、例えば、ＰＤＦ化する処理を行う。なお、この処理では、利用者が図示しないガラス板に当接させた頁、すなわち、一頁又は見開き２頁のデータ化を行う。
【０１１２】
そして、ＣＰＵ１５１は、データ化した図書２００の頁を紙に出力する処理を行う。なお、本実施形態では、図書２００を読み込み、データ化しているが、これに限定されず、図書情報管理データベース４００にデータを格納しておけば、このデータを出力しても良い。
【０１１３】
このとき、ＣＰＵ１５１は、データの出力を実施すると、ＲＡＭ１５３に、このデータ、出力した日時を保存する。また、ＣＰＵ１５１は、図書２００のＩＣタグ２１０から読み出した図書２００を一意に識別するＩＤ、書名、著者名も保存する。また、ＣＰＵ１５１は、利用者の図書貸出ＩＣカード３００から読み出した利用者を一意に識別する情報も保存する。
【０１１４】
このように、本実施形態では、ＲＡＭ１５３にデータ、出力した日時、図書２００を一意に識別するＩＤ、書名及び著者名を保存しておくことで、ＣＰＵ１５１は、データがいつ出力されたのかを管理することが可能になる。また、利用者を一意に識別するＩＤを保存しておくことで、ＣＰＵ１５１は、だれがデータを出力したのかを管理することが可能になる。
【０１１５】
ここで、利用者を一意に識別するＩＤを読み取ることで、利用者が過去に複写している旨を把握することが可能になる。これにより、本実施形態では、利用者に対し、図書２００の部数制限（例えば、一部）をかけることが可能になる。
【０１１６】
ステップＳ３１３において、ＣＰＵ１５１は、複写が完了したか否かを判定する。具体的には、上記ステップＳ３１２において、一頁又は見開き２頁のデータ化を行っている。したがって、この処理では、ＣＰＵ１５１は、利用者が一頁又は見開き二頁を複写した毎に、複写が完了したか否かを判定しており、利用者が複写の完了操作を行ったか否かを判定している。この処理において、ＣＰＵ１５１は、複写が完了したと判定した場合には、今回の複写処理を終了する。一方、この処理において、ＣＰＵ１５１は、複写が完了していないと判定した場合には、ステップＳ３１２に処理を戻す。
【０１１７】
ステップＳ３２０において、ＣＰＵ１５１は、一部分複写処理を行う。なお、この一部分複写処理については、図１１を用いて後述する。
【０１１８】
（一部分複写処理）
次に、図１１を用いて、一部分複写処理について説明する。図１１は、本実施形態（第２の実施形態）に係る複合機本体１００における一部分複写処理を示すフローチャートである。なお、図１１は、図１０に示すステップＳ３２０のサブルーチンである。
【０１１９】
ステップＳ３２１において、ＣＰＵ１５１は、ＩＣカード読み取り処理を行う。この処理において、まず、ＣＰＵ１５１は、操作パネル１１０に指示内容を表示する処理を行う。ここで、指示内容とは、ＲＦＩＤリーダライタ１３０に利用者の図書貸出ＩＣカード３００を読み取らせるよう指示する内容である。そして、利用者が、ＲＦＩＤリーダライタ１３０に図書貸出ＩＣカード３００を当てた場合、ＲＦＩＤリーダライタ１３０にて図書貸出ＩＣカード３００を読み取る。このとき、ＣＰＵ１５１には、ＲＦＩＤリーダライタ１３０にて読み取った情報が転送される。これにより、ＣＰＵ１５１は、図書貸出ＩＣカード３００に格納されている情報に基づいて、利用者を一意に識別するＩＤを読み取る処理を行う。
【０１２０】
ステップＳ３２２において、ＣＰＵ１５１は、画像読取処理を行う。この処理において、ＣＰＵ１５１は、図書２００を読み込み、データ化する処理を行う。なお、本実施形態では、図書２００を読み込み、データ化しているが、これに限定されず、図書情報管理データベース４００にデータを格納しておけば、このデータを出力しても良い。
【０１２１】
ステップＳ３２３において、ＣＰＵ１５１は、スキャンデータ格納処理を行う。この処理において、ＣＰＵ１５１は、上記ステップＳ３２２にてデータ化したデータをＲＡＭ１５３に一時的に格納する処理を行う。なお、この処理では、利用者が図示しないガラス板に当接させた頁、すなわち、一頁又は見開き２頁のデータを格納する処理を行う。このとき、ＣＰＵ１５１は、データ化した毎にカウンタにより回数を計数しておく。これにより、後述するステップＳ３２４において、規定されている頁数を超えたか否かを判定することが可能になる。
【０１２２】
ステップＳ３２４において、ＣＰＵ１５１は、格納したデータが複写可であるか否かを判定する。具体的には、この処理において、ＣＰＵ１５１は、規定されている頁数を超えたか否かを判定している。すなわち、この処理において、ＣＰＵ１５１は、規定されている頁数を超えていないと判定した場合には、複写可であると判定する。一方、この処理において、ＣＰＵ１５１は、規定されている頁数を超えたと判定した場合には、複写不可であると判定する。すなわち、この処理において、ＣＰＵ１５１は、一部分複写可である頁数を超えた場合には、不正複写であると判定し、後述するように、操作パネル１１０の表示部１１１にエラー表示の処理を行う。
【０１２３】
この処理において、格納したデータが複写可であると判定した場合には、ステップＳ３２５に処理を移す。一方、この処理において、ＣＰＵ１５１は、格納したデータが複写可ではない、すなわち、複写不可であると判定した場合には、ステップＳ３２６に処理を移す。
【０１２４】
ステップＳ３２５において、ＣＰＵ１５１は、出力処理を行う。この処理において、ＣＰＵ１５１は、上記ステップＳ３２４にて複写可であると判定した場合には、格納したデータの出力する処理を行う。
【０１２５】
ステップＳ３２６において、ＣＰＵ１５１は、エラー表示処理を行う。この処理において、ＣＰＵ１５１は、上記ステップＳ３２４にて複写不可であると判定した場合には、操作パネル１１０にその旨を表示する処理を行う。
ここで、ＣＰＵ１５１は、保存した書籍のスキャンデータが一部分複写可の場合は、通常通り複写を実施できる。一方、ＣＰＵ１５１は、保存した書籍のスキャンデータが一部分複写不可の場合、及び類型複写数の関係で複写不可の場合は、複写を途中で中断し、操作パネル１１０にスキャンデータの複写不可を表示し、複写は行われない。
【０１２６】
このとき、ＣＰＵ１５１は、ＲＡＭ１５３に、このデータ、出力した日時を保存する。また、ＣＰＵ１５１は、図書２００のＩＣタグ２１０から読み出した図書２００を一意に識別するＩＤ、書名、著者名も保存する。また、ＣＰＵ１５１は、利用者の図書貸出ＩＣカード３００から読み出した利用者を一意に識別する情報も保存する。
【０１２７】
このように、本実施形態では、ＲＡＭ１５３にデータ、出力した日時、図書２００を一意に識別するＩＤ、書名及び著者名を保存しておくことで、ＣＰＵ１５１は、データがいつ出力されたのかを管理することが可能になる。また、利用者を一意に識別するＩＤを保存しておくことで、ＣＰＵ１５１は、だれがデータを出力したのかを管理することが可能になる。
【０１２８】
また、ＣＰＵ１５１は、複写できなかった場合、複写不可の書籍のデータ、複写した日時、図書２００のＩＣタグ２１０から読み出した一意に識別するＩＤ、書名、著者名を保存する。また、ＣＰＵ１５１は、利用者の図書貸出ＩＣカード３００から読み出した利用者を一意に識別する情報も保存する。
【０１２９】
ここで、利用者を一意に識別するＩＤを読み取ることで、利用者が過去に複写している旨を把握することが可能になる。これにより、本実施形態では、利用者に対し、図書２００の部数制限（例えば、一部）をかけることが可能になる。
【０１３０】
このように、本実施形態では、一頁毎、複写が可能であるか否かを判定している。これにより、図書２００が一部分複写可である場合であっても、複写不可な頁を複写できないようにしている。
【０１３１】
ステップＳ３２７において、ＣＰＵ１５１は、複写が完了したか否かを判定する。具体的には、上記ステップＳ３２４において、一頁又は見開き２頁のデータを格納している。したがって、この処理では、ＣＰＵ１５１は、利用者が一頁又は見開き二頁を複写した毎に、複写が完了したか否かを判定しており、利用者が複写の完了操作を行ったか否かを判定している。この処理において、ＣＰＵ１５１は、複写が完了したと判定した場合には、今回の一部分複写処理を終了する。一方、この処理において、ＣＰＵ１５１は、複写が完了していないと判定した場合には、ステップＳ３２２に処理を移す。
【０１３２】
以上のように、本実施形態によれば、複合機本体１００の認証機能、ネットワーク機能、複写機能を活用することにより、図書２００の不正複写防止システムと図書貸出管理システムを一度に実現できる。
【０１３３】
これにより、本実施形態によれば、図書館等において、図書等の違法な複写を防止する場合におけるコストの削減を図ることができる。
【符号の説明】
【０１３４】
１０    管理装置
１１    取得部（取得手段）
１２    貸出物管理部（貸出物管理手段）
１３    複写管理部（複写管理手段）
４０    記憶部（格納手段）
【図１】
2016045615.tif 000003
【図２】
2016045615.tif 000004
【図３】
2016045615.tif 000005
【図４】
2016045615.tif 000006
【図５】
2016045615.tif 000007
【図６】
2016045615.tif 000008
【図７】
2016045615.tif 000009
【図８】
2016045615.tif 000010
【図９】
2016045615.tif 000011
【図１０】
2016045615.tif 000012
【図１１】
2016045615.tif 000013